(57)【要約】  【課題】  金庫１の移動若しくは転倒により、金庫内での配線の途中が切断されないようにして、早期復帰と修復作業の容易性を確保する。  【解決手段】金庫１の外部の電源からコントローラユニット１０に電力を導入する電力線２０と、防盗用センサの異常出力がコントローラユニット１０に伝達されたとき金庫の外部の監視装置２２に異常信号を伝達する信号線２１とを金庫の外面に設けた中継ボックス２３内の接続部に接続し、金庫１の移動若しくは転倒により、前記接続部に対する電力線２０または信号線２１のいずれか一方若しくは双方の接続が簡単に外れるように構成され、且つ電力線２０または信号線２１の接続が外れることにより、異常信号を監視装置２２に伝達されるように構成した。  【選択図】  図４
2006185069.tif 000002
【特許請求の範囲】
【請求項１】
傾斜センサ、施錠センサ、錠前センサ、ハンドルセンサ、電子錠センサ等の盗難防止用のセンサと、電子式のコントローラユニットとを少なくとも備えた金庫等の什器において、
この什器の外部の電源から前記コントローラユニットに電力を導入する電力線と、前記センサの異常出力が前記コントローラユニットに伝達されたとき什器の外部の監視装置に異常信号を伝達する信号線とを什器の外面に設けた中継ボックス内の接続部に接続し、
前記什器の移動若しくは転倒により、前記接続部に対する前記電力線または信号線のいずれか一方若しくは双方の接続が外れるように構成され、且つ前記電力線または信号線の接続が外れることにより、異常信号を前記監視装置に伝達されるように構成したことを特徴とする盗難防止装置付き什器。
【請求項２】
前記什器内に、バックアップ電源及び警報装置を備え、当該バックアップ電源の電力が所定値以下になったとき、または前記什器の移動若しくは転倒により前記警報装置が鳴動するように前記コントローラユニットは制御することを特徴とする請求項１に記載の盗難防止装置付き什器。
【請求項３】
前記コントローラユニットとセンサとは什器における扉の内面に配置され、前記コントローラユニットから前記中継ボックスへの内部配線は、その大部分を什器本体における収納部空間に設け、前記内部配線の端末部は、什器本体の壁を貫通する貫通路内を通過するように構成されていることを特徴とする請求項１または２に記載の盗難防止装置付き什器。
【発明の詳細な説明】
【技術分野】
【０００１】
本発明は、自動販売機や無人店舗内に設置されたＡＴＭ装置（現金自動預金支払装置）、金庫等の什器の不法な解錠、破壊、持ち去り等の異常事態を検知して、外部の監視装置に異常信号を伝達できるようにすることにより、什器内の収容物品の盗難を可及的に防止する、盗難防止装置付きの金庫等什器の構成に関するものである。
【背景技術】
【０００２】
従来から、各種の盗難防止装置付きの金庫や什器が考案されている。例えば、特許文献１では、上方または側方が開口し、その開口を開閉部材で開閉可能とし、側部または底部に１又は複数の穴を開けたボックス内に、電池、携帯電話、リレー等の制御器と、該制御器の指示で携帯電話のボタンを押す装置及び携帯電話の着信音または着信ランプの光を感知して、制御器に伝達する音センサまたは光センサを収納する。そして、ボックスの外側に、２個のソケットを設け、保護すべき什器に巻き付けたケーブルの両端の差込みプラグをソケットに差し込むとリレーが開いて、警報器と電池との接続を切る。この状態で、ケーブルが切断されるか、差込みプラグが抜かれると、警報器が鳴動する。また、携帯電話のボタンを押して、離間している電話（携帯電話）に異常を知らせることが開示されている。
【０００３】
また、従来から、警報システムにおいて、扉の開閉を検知するセンサ、振動センサ、人の有無を検知する光センサ等の各種防盗用センサを、監視すべき箇所から離れた位置に配置した監視装置（コントローラ）に有線で接続するに際して、防盗用センサに近い側にリレー等の電子部品や電源を接続し、前記有線が切断された場合にも、監視装置（コントローラ）が異常状態として検出できるシステムが知られている。
【特許文献１】特開平１１−３４７５号公報
【発明の開示】
【発明が解決しようとする課題】
【０００４】
ところで、上記のような有線部分の切断を検知できる構成を、金庫などの什器の盗難防止の構造に適用した場合には、次のような不都合が生じる。即ち、金庫などの什器の本体内に、適正な施錠状態における不正な扉の開きを検知するセンサ、本体の振動若しくは本体の傾きを検知するセンサ、錠前センサ等の各種防盗用センサとそのセンサの信号を処理するマイクロコンピュータ等の電子式のコントローラユニットと、電源用バッテリとを収納し、コントローラユニットと什器から離れた箇所の監視装置とを有線で接続するには、前記コントローラユニットからの配線ケーブルの一部は、防火材で充填された金庫の扉若しくは本体の壁を貫通させて金庫の外まで引き出し、有線である電話回線若しくは専用回線に接続するのが一般的である。
【０００５】
しかしながら、上記のような構成の金庫等の什器を不正な者が設置箇所から持ち去ろうとして、什器を転倒させたり、移動させるとき、什器の外側での電話回線若しくは専用回線と配線ケーブルとの接続部の接続強度が大きいと、この接続部で破断されるとはかぎらず、什器本体内若しくは本体の壁を貫通する中途部位で配線ケーブルの一部が引きちぎられることが発生する。このような場合であって、什器の盗難が未遂に終わっても、現場で配線ケーブルを元の電話回線若しくは専用回線と接続し直すことは不可であり、その修理に多大の時間とコストが掛かるという問題があった。
【０００６】
本発明は、このような従来問題点を解決すべくなされたものであって、簡単に外部の有線と接続が可能で、且つ防盗性の高い金庫等の什器を提供することを目的とするものである。
【課題を解決するための手段】
【０００７】
前記目的を達成するため、請求項１に記載の発明の盗難防止装置付き什器は、傾斜センサ、施錠センサ、錠前センサ、ハンドルセンサ、電子錠センサ等の盗難防止用のセンサと、電子式のコントローラユニットとを少なくとも備えた金庫等の什器において、この什器の外部の電源から前記コントローラユニットに電力を導入する電力線と、前記センサの異常出力が前記コントローラユニットに伝達されたとき、什器の外部の監視装置に異常信号を伝達する信号線とを什器の外面に設けた中継ボックス内の接続部に接続し、前記什器の移動若しくは転倒により、前記前記電力線または信号線のいずれか一方若しくは双方の接続が外れるように構成され、且つ前記電力線または信号線の接続が外れることにより、異常信号を前記監視装置に伝達されるように構成したものである。
【０００８】
請求項２に記載の発明は、請求項１に記載の盗難防止装置付き什器において、前記什器内に、バックアップ電源及び警報装置を備え、当該バックアップ電源の電力が所定値以下になったとき、または前記什器の移動若しくは転倒により前記警報装置が鳴動するように前記コントローラユニットは制御するものである。
【０００９】
請求項３に記載の発明は、請求項１または２に記載の盗難防止装置付き什器において、前記コントローラユニットとセンサとは什器における扉の内面に配置され、前記コントローラユニットから前記中継ボックスへの内部配線は、その大部分を什器本体における収納部空間に設け、前記内部配線の端末部は、什器本体の壁を貫通する貫通路内を通過するように構成されているものである。
【発明の効果】
【００１０】
請求項１に記載の発明によれば、什器を倒したり、正規の位置から大きく移動させるなどしたときに、前記電力線又は信号線の一方若しくは双方の端部が什器の外面の中継ボックスにおける接続部で簡単に外れるように構成したから、その接続外れにより遠隔地の監視装置に接続する信号線の回路が開き、迅速且つ確実に異常と判断できるのである。従って防盗性も向上するという効果を奏する。
【００１１】
また、このように、什器の外の中継ボックスの接続部で、電力線または信号線の一方または双方の端部が外れるので、什器内のコントローラユニットから中継ボックスまでの内部配線の途中が切断される等のダメージを受けることがないから、正常に戻す場合に、金庫等の什器の扉を開くことなく復旧作業ができて、ユーザーの立ち会いの必要が無く、修理業者が単独で実行できると共に、什器の内部の解体等の大がかりな修理も必要がなく、迅速に正常状態に復帰できるという効果を奏する。
【００１２】
請求項２に記載の発明によれば、請求項１に記載の発明による効果に加えて、前記什器内に、バックアップ電源及び警報装置を備え、当該バックアップ電源の電力が所定値以下になったとき、または前記什器の移動若しくは転倒により前記警報装置が鳴動するように前記コントローラユニットは制御するものであるから、金庫近くの人に異常状態を迅速、且つ確実に報知することができるという効果を奏する。
【００１３】
請求項３に記載の発明によれば、請求項１または２に記載の発明による効果に加えて、前記コントローラユニットとセンサとは什器における扉の内面に配置され、前記コントローラユニットから前記中継ボックスへの内部配線は、その大部分を什器本体における収納部空間に設け、前記内部配線の端末部は、什器本体の壁を貫通する貫通路内を通過するように構成されているものであるので、内部配線の配線作業も容易になるという効果を奏する。
【発明を実施するための最良の形態】
【００１４】
次に、本発明を具体化した最良の形態について説明する。図１は盗難防止装置付き什器の１例としての金庫の正面図、図２は扉を開いた状態の金庫の正面図、図３は金庫の横断面図、図４は金庫の側断面図、図５は金庫内の配線部の状態を示す斜視図、図６は金庫本体の背面（外面）における中継ボックスの斜視図、図７は中継ボックスからの電力線及び信号線の状態を示す斜視図、図８は中継ボックス内の接続部を示す一部切欠き側断面図、図９は防盗システムのブロック図である。
【００１５】
本発明を適用する盗難防止装置付き什器の１例としての金庫１は、防盗性を有する従来から公知の材料、例えばコンクリート等を内部壁として充填し、金属板で覆われた本体２と、その前面を開閉する同じく防盗性を有する材料を充填し、一側の蝶番４を介して開閉可能な金属板製の扉３とからなる（図１及び図２参照）。
【００１６】
本体２内には、貴重品等の物品を収容するための棚板５ａや抽斗５ｂが多段に設けられている（図２及び図４参照）。扉３の前面には、暗証番号を入力して解錠するためのテンキー式の電子錠６のテンキー式の入力部６ａと、電池収納部６ｂとが設けられている。また、鍵により施錠・解錠可能な錠前７と、複数のロックボルト９を作動させるためのハンドル８とが設けられている。
【００１７】
扉３の内面には、前記電子錠６のコントローラ部６ｃと、ハンドル８の回動操作により、複数のロックボルト９を施錠状態及び解錠状態に動かすための機械的連動機構（図示せず）と、後述する制御用のマイクロコンピュータ等を搭載した電子式のコントローラ部１０ａと、警報装置としてのブザー等の警報器１１等を備えたコントローラユニット１０が配置され、これらの部品は金属板製の内カバー体１２で覆われている。
【００１８】
次に、図２〜図９等を参照しながら、本発明の盗難防止装置の構成を説明する。金庫１全体が直立姿勢から所定の角度だけ前後又は左右に傾いたことを検知する傾斜センサ１３と、錠前（シリンダ錠）７がピッキングの攻撃を受けたことを検知するための錠前センサ１４と、電子錠６のコントローラ部６ｃと、錠前７自体の施錠・解錠状態を検知する施錠センサ１５と、ハンドル８が施錠の動作または解錠動作、ひいては扉の開閉状態を検知するためのハンドルセンサ１７が、スイッチ入力部１６等を介してコントローラユニット１０の入力部に接続されている。錠前センサ１４では、錠前（シリンダ錠）７がピッキングの攻撃を受けたときのように、迅速に（キーやピッキング工具が差し込まれたのに所定時間内に）シリンダ部分が回動しない場合に信号が出力する。
【００１９】
そして、金庫１の外部の電源からコントローラ部１０ａに電力を導入する電力線２０と、前記防盗センサの異常出力がコントローラ部１０ａに伝達されたとき、金庫１の外部の監視装置２２に異常信号を伝達する信号線２１とを金庫１の外面に設けた中継ボックス２３内の第１及び第２接続部２４、３４にそれぞれ接続し、金庫１の移動若しくは転倒により、接続部２４、３４に対する電力線２０及び信号線２１の接続が外れるように構成され、且つ電力線２０及び信号線２１の接続が外れることにより、異常信号を監視装置２２に伝達されるように構成する。その実施形態として、コントローラ部１０ａへの通常の電力を供給するためには、金庫の外の商用電源（１００ボルト等の交流電源）のコンセント（図示せず）に接続するＡ／Ｃアダプタ２５に一端が接続された電力線２０とする。実施形態のＡ／Ｃアダプタ２５では、交流１００ボルトを、直流６ボルトに変換する。
【００２０】
電力線２０の他端は中継ボックス２３内の一方の第１接続部２４に接続され、この第１接続部２４と扉内面の前記コントローラユニット１０における降圧回路３０の電源入力部３２とは電力線２０用の内部配線３１ａで接続され、降圧回路３０で直流３ボルトに降圧された電力がコントローラ部１０ａに入力される。
【００２１】
前記第１接続部２４は、金庫１が転倒したり、設置位置から大きく移動されるときに、金庫１の外側で電力線２０の他端が簡単に外れるように構成されており、実施形態では、電力線２０の他端側（外れ易い側）がプラグ２４ａ（単頭プラグ、ピンプラグ、ＤＩＮプラグ等）に接続されており、内部配線３１ａ側（中継ボックス２３への固定側）は、上記プラグ２４ａが差し込まれる雌型のジャック２４ｂに接続されたものである（図７、図８及び図９参照）。中継ボックス２３におけるベース板３５は、金庫１の本体２の背面板２ａの外面に沿わせてネジ３６等にて固定され、ベース板３５における下端水平板部３５ａに前記ジャック２４ｂが貫通してネジにて固定されている（図７及び図８参照）。
【００２２】
他方、信号線２１（図９では２本で示す）の一端は室内に配置された中継コントローラ２６に接続され、電話回線または専用回線等の回線網２７を介して室外（遠隔地等離間した場所）に配置された監視装置２２に接続されている。この監視装置２２は契約した警備会社の通信（受信）機器であっても良い。
【００２３】
上記の各センサの出力信号から異常事態であると判断され、コントローラ部１０ａから異常信号が出力されたとき、このコントローラ部１０ａの出力部に接続されたリレー駆動回路２８を介してリレー２９を駆動させるように構成され、リレー駆動回路２８及びリレー２９はコントローラユニット１０として扉３の内面に配置されている。そして、リレー２９の外部出力部３３と、金庫本体２の外面に固定された中継ボックス２３内の第２接続部３４とは信号線２１用の内部配線３１ｂにて接続されている。
【００２４】
この第２接続部３４も、金庫１が転倒したり、設置位置から大きく移動されるときに、金庫１の外側で信号線２１の他端が簡単に外れるように構成されており、実施形態では、信号線２１の他端側（外れ易い側）が扁平金属板からなるＵ字状挿入片型の端子３４ａに圧着または半田固定されている（図８及び図９参照）。内部配線３１ｂ側（中継ボックス２３への固定側）は、中継ボックス２３におけるベース板３５に立設させた支持片３６上の端子台３７と螺着ネジ３８である（図８参照）。なお、ベース板３５における下端水平板部３５ａには、信号線２１を中継ボックス２３の外部に引き出すための貫通穴３９が穿設され、信号線２１の被覆を傷つけないための合成樹脂製のリング体４０にて貫通穴３９の周囲縁が覆われている。また、着脱可能なカバー体４０にて中継ボックス２３の内部が覆われて保護されている（図６〜図８参照）。なお、第２接続部３４を第１接続部２４と同様のプラグ形式等のコネクタを使用しても良い。
【００２５】
そして、コントローラユニット１０と上記防盗用のセンサとは金庫１における扉３の内面に配置され、コントローラユニット１０から中継ボックス２３への内部配線３１ａ，３１ｂは、その大部分を金庫本体２における収納部空間に設け、内部配線３１ａ，３１ｂの端末部は、金庫本体２の壁（背面板２ａ）を貫通する貫通路４２内を通過するように構成されている。その場合、実施形態では、前記複数本の内部配線３１ａ，３１ｂを纏めてコイル状の配線部３１とし、金庫本体２の天板２ｂの内面に固定したダクト４３内に配線部３１を通す。なお、貫通路４２内の内部配線３１ａ，３１ｂの間の隙間空間は、熱膨張性を有する延焼防止材４４を充填して、火災時に外部の炎や熱が貫通路４２を通して金庫内に入らないようにしている。
【００２６】
上記の構成において、通常の使用開始に際して、金庫本体２の背面の中継ボックス２３のカバー体４１を開いて、電力線２０が第１接続部２４に接続され、且つ信号線２１が第２接続部３４に接続されていることを確認する。次いで、電力線２０の一端のＡ／Ｃアダプタ２５を室内の商用電源のコンセントに接続すると共に、契約した警備会社の監視装置２２に接続された中継コントローラ２６に、信号線２１の一端を接続する。これにより、電力線２０を介してコントローラユニット１０に電力が供給されて、制御態勢が立ち上がる。正常なロック状態では、コントローラ部１０ａの正常出力信号により、リレー駆動回路２８が作動してリレー２９を閉じる。これにより、２本の内部配線３１ｂの端末は閉じられた状態（接続状態）であるので、遠隔地の監視装置２２から回線網２７、中継コントローラ２６、信号線２１及び内部配線３１ｂで閉じた回路が形成される。この状態を監視装置２２で監視して金庫１は正常であると判断する。
【００２７】
正常に扉３を閉じて、ロックした状態から、正当に扉３を開くには、テンキー式の電子錠６の入力部に予め設定された暗証番号を入力すると、コントローラユニット１０ではコントローラ部６ｃからの正常な解錠信号を受信する。次いで、シリンダ錠前７にキーを差し込んで回動することにより、コントローラユニット１０では後述する防盗用の各種センサ１３、１４、１５、１７の警戒態勢を解除して、ロック解除されるので、ハンドル８を回動すれば、ロックボルト９が後退して扉３は開き可能となる。この場合も、コントローラ部１０ａから正常信号を出力し、リレー２９は閉じられているので、監視装置２２では正常と見做す。
【００２８】
一方、ロック状態では、防盗用の各種センサ１３、１４、１５、１７が警戒態勢に入るので、金庫１に攻撃が加えられたとき、例えば、金庫１全体が直立姿勢から所定の角度だけ前後又は左右に傾くと、傾斜センサ１３が検知して信号を出力する。また、錠前センサ１４では、錠前（シリンダ錠）７がピッキングの攻撃を受けたことを検知して信号を出力する。さらに、コントローラ部６ｃでは電子錠６への攻撃を検知して信号を出力する。同様に、施錠センサ１５では、錠前７自体の施錠・解錠状態を検知して信号を出力する。ハンドルセンサ１７では、ハンドル８が施錠の動作または解錠動作、ひいては扉の開閉状態を検知して信号を出力する。このようにして異常状態であれば、コントローラ部１０ａは異常信号を出力してリレー駆動回路２８が作動してリレー２９が開く。これにより、内部配線３１ｂの端末が切断された開いた回路となるので、監視装置２２では異常と見做し、警備会社から監視員を現場に派遣して、被害に会っていないかどうかを確認する。また、金庫１における警報装置１１が鳴動して、異常であることを知らせる。
【００２９】
ところで、不正者が金庫を持ち去るために、その金庫１を倒したり、正規の位置から大きく移動させる等したときに、前記電力線２０又は信号２１の一方若しくは双方の途中が切断されるまで、監視装置２２が異常状態であると判断しないと、緊急手配の手遅れが生じるおそれがある。そのため、本発明のように金庫１を倒したり、正規の位置から大きく移動させるなどしたときに、前記電力線２０又は信号線２１の一方若しくは双方の端部が中継ボックス２３における接続部２４、３４で簡単に外れるように構成するのである。これにより、遠隔地の監視装置２２から回線網２７、中継コントローラ２６、信号線２１の回路が開き、迅速且つ確実に異常と判断できるのである。
【００３０】
また、このように、金庫１の外の中継ボックス２３の接続部２４、３４で、電力線２０または信号線２１の一方または双方の端部が外れるので、金庫１内のコントローラユニット１０から中継ボックス２３までの内部配線３１ａ，３１ｂの途中が切断される等のダメージを受けることがないから、正常に戻す場合に、金庫１の内部の解体等の大がかりな修理も必要がなく、迅速に正常状態に復帰できるという効果を奏する。
【００３１】
なお、別の実施形態として、警報器１１への電力供給のための、リチュウム電池やアルカリ電池等のバックアップ電源１８を設けることができる。このバックアップ電源１８は、防盗用通信回路とは独立させて設け、このバックアップ電源１８で警報器１１が鳴るようにしているが、Ａ／Ｃ電源の通電時には、バックアップ電源１８の電池切れであってもＡ／Ｃ電源により警報器１１が鳴るように回路構成されている。
【００３２】
また、Ａ／Ｃ電源の通電、不通電に関係なく、バックアップ電源１８の電圧が所定値（消耗電圧時）に、施錠すると、そのバックアップ電源１８の電源にて消耗音（例えば３０秒間）の鳴動をさせる。
【００３３】
Ａ／Ｃ電源の通電、不通電に関係なく、バックアップ電源１８が外されている場合、上記施錠時の消耗音を鳴らさない。これにより、バックアップ電源１８が存在しないことをユーザに知らせる。また、バックアップ電源１８が存在しない状態でも、前記監視装置２２への回路はクローズとし、信号線２１を中継コントローラ２６及び回線網２７を介して監視装置２２に接続でき、監視可能とする。
【００３４】
なお、Ａ／Ｃ電源が停電の場合も、上記の電力線２０や信号線２１の接続部２４、３４での外れ、若しくは切断時の不正状態との判別ができず、監視装置２２に異常信号の発報となることは止む終えない。
【図面の簡単な説明】
【００３５】
【図１】金庫の正面図である。
【図２】金庫の扉を開いた状態の正面図である。
【図３】金庫の横断面図である。
【図４】金庫の側断面図である。
【図５】金庫内部の配線部の状態を示す斜視図である。
【図６】金庫本体の背面（外面）における中継ボックスの斜視図である。
【図７】中継ボックスからの電力線及び信号線の状態を示す斜視図である。
【図８】中継ボックス内の接続部を示す一部切欠き側断面図である。
【図９】防盗システムのブロック図である。
【符号の説明】
【００３６】
１    金庫
２    本体
２ａ  背面板
３    扉
６    テンキー式電子錠
１０    コントローラユニット
１０ａ  コントローラ部
１３    傾斜センサ
１４    錠前センサ
１５    施錠センサ
１７    ハンドルセンサ
１８    バックアップ電源
２０    電力線
２１    信号線
２２    監視装置
２３    中継ボックス
２４    第１接続部
２５    Ａ／Ｃアダプタ
２６    中継コントローラ
２７    回線網
２８    リレー駆動回路
２９    リレー
３４    第２接続部
【図１】
2006185069.tif 000003
【図２】
2006185069.tif 000004
【図３】
2006185069.tif 000005
【図４】
2006185069.tif 000006
【図５】
2006185069.tif 000007
【図６】
2006185069.tif 000008
【図７】
2006185069.tif 000009
【図８】
2006185069.tif 000010
【図９】
2006185069.tif 000011